(57)【要約】      （修正有）【課題】柑橘根系を効果的に保護栽培することができる栽培装置を提供する。【解決手段】４つの内側弧仕切板２がフレーム１の内側で円筒状空間を構成し、取り付け底板３が４つの内側弧仕切板２の相対する側面の底部に固定して取り付けられ、内蔵空間変換機構４が取り付け底板３の上面に取り付けられかつそれぞれ４つの内側弧仕切板２に接続され、内蔵調節機構５が４つの内側弧仕切板２の相対する内側壁に固定して取り付けられ、充填機構６が右側の内側弧仕切板２に取り付けられた柑橘栽培用の栽培装置。【選択図】図１
2020089353.tif 000002
【特許請求の範囲】
【請求項１】
フレーム（１）と、４つの内側弧仕切板（２）と、取り付け底板（３）と、内蔵空間変換機構（４）と、内蔵調節機構（５）と、充填機構（６）とを備えた柑橘栽培用の栽培装置であって、４つの前記内側弧仕切板（２）がフレーム（１）の内側で円筒状空間を構成し、取り付け底板（３）が４つの内側弧仕切板（２）の相対する側面の底部に固定して取り付けられ、内蔵空間変換機構（４）が取り付け底板（３）の上面に取り付けられかつそれぞれ４つの内側弧仕切板（２）に接続され、内蔵調節機構（５）が４つの内側弧仕切板（２）の相対する内側壁に固定して取り付けられ、充填機構（６）が右側の内側弧仕切板（２）に取り付けられ、
内蔵空間変換機構（４）は、円形シール板（４１）と、軟質ゴムエアバッグ（４２）と、１４個の螺旋弾性部品（４３）と、２つの連通伸縮管（４４）と、２つの排水管（４５）と、通気管（４６）と、開閉空気弁（４７）とを備え、円形シール板（４１）が取り付け底板（３）の上面の取り付け溝内側に固定して取り付けられ、軟質ゴムエアバッグ（４２）が円形シール板（４１）の上面に固定して接着されかつ円形シール板（４１）の外側辺を完全に覆い、１４個の螺旋弾性部品（４３）が２組に均等に分けられて軟質ゴムエアバッグ（４２）の最上部に対称的に取り付けられ、２つの排水管（４５）が円形シール板（４１）及び取り付け底板（３）を貫通して、２つの連通伸縮管（４４）が軟質ゴムエアバッグ（４２）の最上部をそれぞれ２つの排水管（４５）と互いに連通させ、通気管（４６）が取り付け底板（３）の通気孔に取り付けられかつ取り付け底板（３）と右側の内側弧仕切板（２）の表面を貫通してフレーム１の内側まで延在しており、開閉空気弁（４７）が通気管（４６）の末端に取り付けられ、
内蔵調節機構（５）は、円形多通管（５１）と、２つの弧形多通管（５２）と、４つのマイクロフィルターカバー（５３）と、８つの垂直チューブ（５４）と、エミッタスポイト（５５）と、８つの恒温加熱シート（５６）と、導水管（５７）と、水弁（５８）とを備え、円形多通管（５１）が４つの内側弧仕切板（２）で構成される円形内壁に固定して取り付けられ、２つの弧形多通管（５２）が円形多通管（５１）の排水口に対称的に取り付けられ、４つのマイクロフィルターカバー（５３）が２組に均等に分けられそれぞれ２つの弧形多通管（５２）の滴下口に取り付けられ、８つの垂直チューブ（５４）が２組に均等に分けられそれぞれ２つの弧形多通管（５２）の接続口に取り付けられ、同一側に位置する４つの垂直チューブ（５４）が台形を呈して分布し、円錐形エミッタ（５５）が８つの円錐形チューブ（５４）の滴下口に取り付けられかつ真下に向かい、８つの横方向加熱シート（５６）がそれぞれ８つの垂直チューブ（５４）に固定して取り付けられ、
充填機構（６）は、螺旋輸送管（６１）と、駆動モーター（６２）と、案内ホッパー（６３）とを備え、螺旋輸送管（６１）は右側の内側弧仕切板（２）に位置し、駆動モーター（６２）はボルトを介して螺旋輸送管（６１）の一端に固定して取り付けられ、駆動モーター（６２）の出力軸が螺旋輸送管（６１）のポートを貫通して内側の螺旋搬送ローラに接続され、案内ホッパー（６３）は末端が開けられた螺旋輸送管（６１）の案内口に固定して取り付けられることを特徴とする柑橘栽培用の栽培装置。
【請求項２】
前記軟質ゴムエアバッグ（４２）は、ゴム材質で製造され、側壁の厚さが６−８ミリメートルであり、底部側辺が円形シール板（４１）の上面外側辺を完全にシーリングして接着し、円形外側辺がそれぞれ４つの内側弧仕切板（２）の側面に接着されることを特徴とする請求項１に記載の柑橘栽培用の栽培装置。
【請求項３】
４つの前記螺旋弾性部品（４３）の構造サイズはいずれも同じであり、螺旋弾性部品（４３）は、６５Ｍｎばね鋼材を用いてもよく、断面形状が円形であることを特徴とする請求項１に記載の柑橘栽培用の栽培装置。
【請求項４】
前記恒温加熱シート（５６）は、２３−２８℃恒温の防水不織布加熱シートを用い、垂直チューブ（５４）と接着して接続されることを特徴とする請求項１に記載の柑橘栽培用の栽培装置。  
【請求項５】
前記連通伸縮管（４４）は、ゴム伸縮管材質を用い、初期状態が引張装置であることを特徴とする請求項１に記載の柑橘栽培用の栽培装置。
【請求項６】
前記駆動モーター（６２）は、回転速度が２０−３０ｒ／ｍｉｎの低速サーボモーターを用いることを特徴とする請求項１に記載の柑橘栽培用の栽培装置。
【請求項７】
前記内蔵調節機構（５）は、内蔵空間変換機構（４）の真上に位置し、内蔵空間変換機構（４）が充填機構（６）と互いにずらして分布することを特徴とする請求項１に記載の柑橘栽培用の栽培装置。
【請求項８】
柑橘栽培の栽培方法であって、
装置内部に柑橘苗木を栽培するとき、柑橘根部の根系が装置内部に分布しており、導水管（５７）の末端には給水するためのポンプが外接され、それにより水が円形多通管（５１）内に流れ、水圧作用で、水が２つの弧形多通管（５２）に沿って上昇し、それぞれ２つの弧形多通管（５２）における滴下口を介して導出され、柑橘の根系の近くの土壌に対して直接灌漑し、水が弧形多通管（５２）の接続口から垂直チューブ（５４）の内側に入り、最終的に垂直チューブ（５４）の滴下口を介して装置内部の土壌根系に対して直接かつ効果的に給水するステップ（１）と、
通気管（４６）の末端に外接されるエアポンプにより、開閉空気弁（４７）を開き、軟質ゴムエアバッグ（４２）内の高圧気体をゆっくりと抽出し、高圧気体の導出に伴って、装置内部に位置する軟質ゴムエアバッグ（４２）の最上部が収縮して内向きに凹んで、軟質ゴムエアバッグ（４２）が下向きに凹んでいることに伴って、軟質ゴムエアバッグ（４２）上位置する螺旋弾性部品（４３）も下向きにゆっくりと移動し、土壌中位置する螺旋弾性部品（４３）の部分が軟質ゴムエアバッグ（４２）に伴って下がるため、螺旋弾性部品（４３）に巻き付いた根が下向きの張力を受けるが、土が緩むことに伴って、螺旋弾性部品（４３）に巻き付いた根がゆっくりと緩み、過大な作用力により根が引き切られることを防止し、底部の螺旋弾性部品（４３）の近くの土壌を引っ張った後、軟質ゴムエアバッグ（４２）内の空気が完全に抽出されるまで、装置内部に位置する土質を緩め、次に軟質ゴムエアバッグ（４２）の空気を案内し、軟質ゴムエアバッグ（４２）が再び広げられ、螺旋弾性部品（４３）は再び底部の固まった土壌を掘り起こして緩め、柑橘の根系への影響を減らす状況において装置底部の土質を緩めるように、繰り返して操作するステップ（２）と、
案内ホッパー（６３）内に柑橘の成長に必要な栄養素を導入し、次に駆動モーター（６２）を起動し、駆動モーター（６２）の出力軸が螺旋輸送管（６１）内の輸送羽根を動かして栄養素を輸送し、それにより栄養素が螺旋輸送管（６１）の末端から導出され、装置底部の土質に栄養を補充するステップ（３）とを含むことを特徴とする柑橘栽培用の栽培方法。
【発明の詳細な説明】
【技術分野】
【０００１】
本発明は柑橘栽培の技術分野に関し、具体的には、柑橘栽培用の栽培装置及び方法である。
【背景技術】
【０００２】
柑橘の栽培は温暖な環境を必要とし、特に柑橘苗を栽培するとき、温度、光の照射、水分、及び土壌等の環境要素を厳しく制御する必要があり、田畑で柑橘苗を栽培すると、大規模な土壌施肥が必要で、肥料効率が低く、温度を制御しにくいため、柑橘苗の成長が遅くなるので、通常は、柑橘栽培装置を使用して柑橘を栽培して柑橘苗の成長を加速させるが従来の栽培装置で柑橘を栽培する場合、柑橘が成長している土壌を定期的に緩め又は施肥して、土壌中の酸素含有量を増加させることで、柑橘根系の成長速度を早める必要があるが、柑橘の根系が長く発達して、土壌表層のみを掘り起こすと、柑橘根系の酸素含有量への影響が低く、土壌を深く掘り起こすと、柑橘苗の根系を破壊しやすく、柑橘苗の成長を遅くして、柑橘を灌漑するときに、土壌の表面が濡れ、湿っぽい環境で、昆虫が細菌を繁殖させ、柑橘層組織に害を及ぼしやすいため、柑橘を栽培し、柑橘苗を保護栽培するために柑橘栽培用の栽培装置が必要である。
【先行技術文献】
【特許文献】
【０００３】
【特許文献１】中国特許出願公開第109180295号明細書
【発明の概要】
【０００４】
柑橘栽培用の栽培装置が柑橘根系を効果的に保護栽培することができないという問題を解決する。
【０００５】
フレームと、４つの内側弧仕切板と、取り付け底板と、内蔵空間変換機構と、内蔵調節機構と、充填機構とを備えた柑橘栽培用の栽培装置であって、４つの前記内側弧仕切板がフレームの内側で円筒状空間を構成し、取り付け底板が４つの内側弧仕切板の相対する側面の底部に固定して取り付けられ、内蔵空間変換機構が取り付け底板の上面に取り付けられかつそれぞれ４つの内側弧仕切板に接続され、内蔵調節機構が４つの内側弧仕切板の対向内側壁に固定して取り付けられ、充填機構が右側の内側弧仕切板に取り付けられる。
【０００６】
内蔵空間変換機構は、円形シール板と、軟質ゴムエアバッグと、１４個の螺旋弾性部品と、２つの連通伸縮管と、２つの排水管と、通気管と、開閉空気弁とを備え、円形シール板が取り付け底板の上面の取り付け溝内側に固定して取り付けられ、軟質ゴムエアバッグが円形シール板の上面に固定して接着されかつ円形シール板の外側辺を完全に覆い、１４個の螺旋弾性部品が２組に均等に分けられ軟質ゴムエアバッグの最上部に対称的に取り付けられ、２つの排水管が円形シール板と取り付け底板を貫通し、２つの連通伸縮管が軟質ゴムエアバッグの最上部をそれぞれ２つの排水管と互いに連通し、通気管が取り付け底板の通気孔に取り付けられかつ取り付け底板及び右側の内側弧仕切板の表面を貫通してフレームの内側まで延在しており、開閉空気弁が通気管の末端に取り付けられる。
【０００７】
内蔵調節機構は、円形多通管と、２つの弧形多通管と、４つのマイクロフィルターカバーと、８つの垂直チューブ、円錐形エミッタ、８つの恒温加熱シートと、導水管と、水弁とを備え、円形多通管が４つの内側弧仕切板で構成される円形内側壁に固定して取り付けられ、２つの弧形多通管が円形多通管の排水口に対称的に取り付けられ、４つのマイクロフィルターカバーが２組に均等に分けられそれぞれ２つの弧形多通管の滴下口に取り付けられ、８つの垂直チューブが２組に均等に分けられそれぞれ２つの弧形多通管の接続口に取り付けられ、同一側に位置する４つの垂直チューブが台形を呈して分布し、円錐形エミッタが８つの円錐形チューブの滴下口に取り付けられかつ真下に向かって、８つの横方向加熱シートがそれぞれ８つの垂直チューブ
に固定して取り付けられる。
【０００８】
充填機構は、螺旋輸送管と、駆動モーターと、案内ホッパーとを備え、螺旋輸送管は右側の内側弧仕切板に位置し、駆動モーターはボルトを介して螺旋輸送管の一端に固定して取り付けられ駆動モーターの、出力軸が螺旋輸送管のポートを貫通して内側の螺旋搬送ローラに接続され、案内ホッパーは末端が開けられた螺旋輸送管の案内口に固定して取り付けられる。
【０００９】
好ましくは、前記軟質ゴムエアバッグは、ゴム材質で製造され、側壁厚さが６−８ミリメートルであり、底部側辺が円形シール板の上面の外側辺を完全にシーリングして接着し、円形外側辺がそれぞれ４つの内側弧仕切板の側面に接着される。
【００１０】
好ましくは、４つの前記螺旋弾性部品の構造サイズがいずれも同じであり、螺旋弾性部品は、６５Ｍｎばね鋼材を用いてもよく、断面形状が円形である。
【００１１】
好ましくは、前記恒温加熱シートは、２３−２８℃恒温の防水不織布加熱シートを用い、垂直チューブと接着して接続される。
【００１２】
好ましくは、前記連通伸縮管は、ゴム伸縮管材質を用い、初期状態が引張装置である。
【００１３】
好ましくは、前記駆動モーターは回転度が２０−３０ｒ／ｍｉｎの低速サーボモーターを用いる。
【００１４】
好ましくは、前記内蔵調節機構は、内蔵空間変換機構の真上に位置し、内蔵空間変換機構が充填機構と互いにずらして分布する。
【００１５】
柑橘栽培の栽培方法であって、
【００１６】
装置内部に柑橘苗木を栽培するとき、柑橘根部の根系が装置内部に分布しており、導水管の末端は給水するためのポンプが外接され、それにより水が円形多通管内に流れ、水圧作用で、水が２つの弧形多通管に沿って上昇し、それぞれ２つの弧形多通管における滴下口を介して導出され、柑橘の根系の近くの土壌に対して直接灌漑し、水が弧形多通管の接続口から垂直チューブの内側に入り、最終的に垂直チューブの滴下口を介して装置内部の土壌根系に対して直接かつ効果的に給水するステップ（１）と。
【００１７】
通気管の末端に外接されるエアポンプにより、開閉空気弁を開き、軟質ゴムエアバッグ内の高圧気体をゆっくりと抽出し、高圧気体の導出に伴って、装置内部に位置する軟質ゴムエアバッグの最上部が収縮して内向きに凹んで、軟質ゴムエアバッグが下向きに凹んでいることに伴って、軟質ゴムエアバッグ上位置する螺旋弾性部品も下向きにゆっくりと移動し、土壌中位置する螺旋弾性部品の部分も軟質ゴムエアバッグに伴って下がるため、螺旋弾性部品に巻き付いた根が下向きの張力を受けるが、土が緩むことに伴って、螺旋弾性部品に巻き付いた根がゆっくりと緩み、過大な作用力により根が引き切られることを防止し、底部の螺旋弾性部品の近くの土壌を引っ張った後、軟質ゴムエアバッグ内の空気が完全に抽出されるまで、装置内部に位置する土質を緩め、次に軟質ゴムエアバッグの空気を案内し、軟質ゴムエアバッグが再び広げられ、螺旋弾性部品が再び底部に位置する固まった土壌を掘り起こして緩め、柑橘の根系への影響を減らす状況において装置底部の土質を緩めるように、繰り返して操作し、それとともに、恒温加熱シート５６に電源を接続し、土壌の内部を恒温加熱することで土壌内の根系が適切な成長温度になり、柑橘根系の成長を加速させるステップ（２）と、
【００１８】
案内ホッパー内に柑橘の成長に必要な栄養素を導入し、次に駆動モーターを起動し、駆動モーターの出力軸が螺旋輸送管内の輸送羽根を動かして栄養素を輸送し、それにより栄養素が螺旋輸送管の末端から導出され、装置底部の土質に栄養を補充するステップ（３）とを含む。
【００１９】
従来技術に比べて、
【００２０】
（１）、該柑橘栽培用の栽培装置及び方法は、内蔵空間変換機構を設置することで装置内部の土壌を支持して充填し、装置を使用するとき、通気管に外接されるエアポンプにより、開閉空気弁を開き、エアポンプにより軟質ゴムエアバッグ内のガスを排出及び導入し、軟質ゴムエアバッグの最上部が螺旋弾性部品を動かして位置を低下させたり上昇させたりすることで、螺旋弾性部品が底部の土壌を動かして緩め、それとともに、螺旋弾性部品自体が持っている弾性により根系を引っ張り、内蔵調節機構が土壌全体を支持し、上方の土壌が沈下することを防止し、柑橘根系を整え、剛性引張力によ柑橘根系の断裂を効果的に防止し、軟質ゴムエアバッグに対して空気排出及び空気充填を行うとともに、連通伸縮管を介して連通している外部空気も装置内部に導入され、土壌底部の酸素含有量を直接かつ効果的に増加させ、従来の土を掘り起こすめ方式を変え、根系の土壌に直接かつ効果的に作用する。
【００２１】
（２）、該柑橘栽培用の栽培装置及び方法は、装置の土壌の内部に内蔵調節機構を設置することで、装置を使用するとき、導水管を介してポンプに接続され、水弁を開き、内蔵調節機構内へ栄養液又は水を導入し、栄養液が弧形多通管における滴下口から導出され、水が内蔵調節機構の内側に充填するまで、マイクロフィルターカバーで土壌を隔離し、水が垂直チューブにおける滴下口を介して円錐形エミッタから導出され、土壌の内部の根系を直接的に効果的に灌漑し、従来の土壌表面から灌漑する方法を変え、土壌の表面が濡れ、湿っぽいことにより昆虫を招いて柑橘に害を及ぼすことを回避し、また、水が柑橘根系に直接かつ効果的に作用し、水又は栄養液の利用効率を向上させる。
【００２２】
（３）、該柑橘栽培用の栽培装置及び方法は、内蔵空間変換機構及び充填機構を設置して組み合わせることで、装置を使用するとき、内蔵空間変換機構がエアポンプの空気排出及び空気充填の作用で螺旋弾性部品を動かして土壌を緩め、軟質ゴムエアバッグが空気を排出して下向きに凹んでいるとき、案内ホッパー内に栄養土を入れて、次に駆動モーターに電源を接続することで、駆動モーターの出力軸が螺旋輸送管内の螺旋輸送羽根を動かして栄養土を土壌の底部に充填し、根系領域の土壌を改善し、根系の土壌特性を効果的に直接調節し、装置底部に充填される土壌により軟質ゴムエアバッグの最上部が下向きに押され、装置内部の土壌空間を増大させ、それにより、土壌特性を改善する。
【図面の簡単な説明】
【００２３】
【図１】は、本発明の構造模式図である。
【図２】は、本発明の内蔵空間変換機構及び充填機構構造の模式図である。
【図３】は、本発明の内蔵調節機構の構造模式図である。
【図４】は、本発明の螺旋弾性部品の模式図である。
【００２４】
図中：１フレーム、２内側弧仕切板、３取り付け底板、４内蔵空間変換機構、４１円形シール板、４２軟質ゴムエアバッグ、４３螺旋弾性部品、４４連通伸縮管、４５排水管、４６通気管、４７開閉空気弁、５内蔵調節機構、５１円形多通管、５２弧形多通管、５３マイクロフィルターカバー、５４垂直チューブ、５５円錐形エミッタ、５６恒温加熱シート、５７導水管、５８水弁、６充填機構、６１螺旋輸送管、６２駆動モーター、６３案内ホッパー。
【発明を実施するための形態】
【００２５】
図１−４に示すように、本発明は、以下の技術案を提供する。フレーム１と、４つの内側弧仕切板２と、取り付け底板３と、内蔵空間変換機構４と、内蔵調節機構５と、充填機構６とを備えた柑橘栽培用の栽培装置であって、４つの内側弧仕切板２がフレーム１の内側で円筒状空間を構成し、取り付け底板３が４つの内側弧仕切板２の相対する側面の底部に固定して取り付けられ、内蔵空間変換機構４が取り付け底板３の上面に取り付けられかつそれぞれ４つの内側弧仕切板２に接続され、内蔵調節機構５が４つの内側弧仕切板２の相対する内側壁に固定して取り付けられ、充填機構６が右側の内側弧仕切板２に取り付けられ、内蔵調節機構５が内蔵空間変換機構４の真上に位置し、内蔵空間変換機構４が充填機構６と互いにずらして分布する。
【００２６】
内蔵空間変換機構４は、円形シール板４１と、軟質ゴムエアバッグ４２と、１４個の螺旋弾性部品４３と、２つの連通伸縮管４４と、２つの排水管４５と、通気管４６と、開閉空気弁４７とを備え、円形シール板４１が取り付け底板３の上面の取り付け溝内側に固定して取り付けられ、軟質ゴムエアバッグ４２が円形シール板４１の上面に固定して接着されかつ円形シール板４１の外側辺を完全に覆い、１４個の螺旋弾性部品４３が２組に均等に分けられ軟質ゴムエアバッグ４２の最上部に対称的に取り付けられ、２つの排水管４５が円形シール板４１と取り付け底板３を貫通し、２つの連通伸縮管４４が軟質ゴムエアバッグ４２の最上部をそれぞれ２つの排水管４５と互いに連通させ、通気管４６が取り付け底板３の通気孔に取り付けられかつ取り付け底板３と右側の内側弧仕切板２の表面を貫通してフレーム１の内側まで延在しており、開閉空気弁４７が通気管４６の末端に取り付けられ、軟質ゴムエアバッグ４２は、ゴム材質で製造され、側壁厚さが６−８ミリメートルであり、底部側辺が円形シール板４１の上面外側辺を完全にシーリングして接着し、円形外側辺がそれぞれ４つの内側弧仕切板２の側面に接着され、４つの螺旋弾性部品４３の構造サイズはいずれも同じであり、螺旋弾性部品４３は、６５Ｍｎばね鋼材を用いてもよく、断面形状が円形であり，連通伸縮管４４は、ゴム伸縮管材質を用い、初期状態が引張装置である。
【００２７】
内蔵調節機構５は、円形多通管５１と、２つの多方弧形管５２と、４つのマイクロフィルターカバー５３と、８つの垂直チューブ５４と、円錐形エミッタ５５と、８つの恒温加熱シート５６と、導水管５７と、水弁５８とを備え、円形多通管５１が４つの内側弧仕切板２で構成される円形内側壁に固定して取り付けられ、２つの多方弧形管５２が円形多通管５１の排水口に対称的に取り付けられ、４つのマイクロフィルターカバー５３２組に均等に分けられがそれぞれ２つの弧形多通管５２の滴下口に取り付けられ、８つの垂直チューブ５４が２組に均等に分けられそれぞれ２つの弧形多通管５２の接続口に取り付けられる、同一側に位置する４つの垂直チューブ５４が台形を呈して分布し、円錐形エミッタ５５が８つの円錐形チューブ５４の滴下口に取り付けられかつ真下に向かって、８つの横方向加熱シート５６がそれぞれ８つの垂直チューブ５４に固定して取り付けられ、恒温加熱シート５６は、２３−２８℃恒温の防水不織布加熱シートを用い、垂直チューブ５４と接着して接続される。
【００２８】
充填機構６は、螺旋輸送管６１と、駆動モーター６２と、案内ホッパー６３とを備え、螺旋輸送管６１は右側の内側弧仕切板２に位置し、駆動モーター６２はボルトを介して螺旋輸送管６１の一端に固定して取り付けられ、駆動モーター６２の出力軸が螺旋輸送管６１のポートを貫通して内側の螺旋搬送ローラに接続され、案内ホッパー６３は末端が開けられた螺旋輸送管６１の案内口に固定して取り付けられ、駆動モーター６２は回転速度が２０−３０ｒ／ｍｉｎの低速サーボモーターを用いる。
【００２９】
柑橘栽培の栽培方法であって、
【００３０】
装置内部に柑橘苗木を栽培するとき、柑橘根部の根系が装置内部に分布しており、導水管５７の末端には給水するためのポンプが外接され、それにより水が円形多通管５１内に流れ、水圧作用で、水が２つの弧形多通管５２に沿って上昇し、それぞれ２つの弧形多通管５２における滴下口を介して導出され、柑橘の根系の近くの土壌を直接灌漑し、水が弧形多通管５２の接続口から垂直チューブ５４の内側に入り、最終的に垂直チューブ５４の滴下口を介して装置内部の土壌根系に対して直接かつ効果的に給水するステップ（１）と、
【００３１】
通気管４６の末端に外接されるエアポンプにより、開閉空気弁４７を開き、軟質ゴムエアバッグ４２内の高圧気体をゆっくりと抽出し、高圧気体の導出に伴って、装置内部に位置する軟質ゴムエアバッグ４２の最上部が収縮して内向きに凹んで、軟質ゴムエアバッグ４２が下向きに凹んでいることに伴って、軟質ゴムエアバッグ４２に位置する螺旋弾性部品４３も下向きにゆっくりと移動し、土壌中位置する螺旋弾性部品４３の部分も軟質ゴムエアバッグ４２に伴って下がるため、螺旋弾性部品４３に巻き付いた根が下向きの張力を受けるが、土が緩むことに伴って、螺旋弾性部品４３にいた根がゆっくりと緩み、過大な作用力により根が引き切られることを防止し、底部の螺旋弾性部品４３の近くの土壌を引っ張った後、軟質ゴムエアバッグ４２内の空気が完全に抽出されるまで、装置内部に位置する土質を緩め、次に軟質ゴムエアバッグ４２の空気を案内し、軟質ゴムエアバッグ４２が再び広げられ、螺旋弾性部品４３は再び底部の固まった土壌を掘り起こして緩め、柑橘の根系への影響を減らす状況において装置底部の土質を緩めるように、繰り返して操作するステップ（２）と、
【００３２】
案内ホッパー６３内に柑橘の成長に必要な栄養素を導入し、次に駆動モーター６２を起動し、駆動モーター６２の出力軸が螺旋輸送管６１内の輸送羽根を動かして栄養素を輸送し、それにより栄養素が螺旋輸送管６１の末端から導出され、装置底部の土質に栄養を補充するステップ（３）と、を含む。
【図１】
2020089353.tif 000003
【図２】
2020089353.tif 000004
【図３】
2020089353.tif 000005
【図４】
2020089353.tif 000006